(57)【要約】【課題】本発明は、被写体の撮影時における被写体照度の一定化を実現し得るとともに、不要な発光を無くし省エネルギー化を図れるＬＥＤ自動調光照明装置を提供する。【解決手段】本発明のＬＥＤ自動調光照明装置１１は、被写体照明用の可視光を発光する複数のＬＥＤ１〜６を用いたＬＥＤ発光部１２と、該ＬＥＤ発光部１２を発光駆動する発光個数可変のＬＥＤ発光駆動部１３と、被写体Ｍの照度レベルを設定する照度レベル設定部１４と、被写体Ｍの照度を検出する光センサ１５と、照度レベルと、光センサ１５が検出する照度とを比較し、比較結果に応じてＬＥＤ発光駆動部１３の発光駆動制御を行い、ＬＥＤ発光部１２のＬＥＤ発光個数を増減させて発光光量を設定した被写体Ｍの照度レベルに適合させる制御部１７と、を有する構成とした。【選択図】図１
2010218794.tif 000002
【特許請求の範囲】
【請求項１】
被写体照明用の可視光を発光する複数のＬＥＤを用いたＬＥＤ発光部と、
該ＬＥＤ発光部の発光調整機能を有するＬＥＤ発光駆動部と、
被写体の照度レベルを設定する照度レベル設定部と、
被写体の照度を検出する光センサと、
前記照度レベルと、前記光センサが検出する照度とを比較し、比較結果に応じて前記ＬＥＤ発光部の発光光量が設定した被写体の照度レベルに適合するように前記ＬＥＤ発光駆動部の発光調整制御を行う制御部と、
を有することを特徴とするＬＥＤ自動調光照明装置。
【請求項２】
被写体照明用の可視光を発光する複数のＬＥＤを用いたＬＥＤ発光部と、
該ＬＥＤ発光部を発光駆動する発光個数可変のＬＥＤ発光駆動部と、
被写体の照度レベルを設定する照度レベル設定部と、
被写体の照度を検出する光センサと、
前記照度レベルと、前記光センサが検出する照度とを比較し、比較結果に応じて前記ＬＥＤ発光駆動部の発光駆動制御を行い、前記ＬＥＤ発光部のＬＥＤ発光個数を増減させて発光光量を設定した被写体の照度レベルに適合させる制御部と、
を有することを特徴とするＬＥＤ自動調光照明装置。
【請求項３】
被写体照明用の可視光を発光する複数のＬＥＤを用いたＬＥＤ発光部と、
該ＬＥＤ発光部を発光駆動する発光電流可変のＬＥＤ発光駆動部と、
被写体の照度レベルを設定する照度レベル設定部と、
被写体の照度を検出する光センサと、
前記照度レベルと、前記光センサが検出する照度とを比較し、比較結果に応じて前記ＬＥＤ発光駆動部の発光駆動制御を行い、前記ＬＥＤ発光部の各ＬＥＤの発光電流を増減させて発光光量を設定した被写体の照度レベルに適合させる制御部と、
を有することを特徴とするＬＥＤ自動調光照明装置。
【請求項４】
被写体照明用の可視光を発光する複数のＬＥＤを用いたＬＥＤ発光部と、
該ＬＥＤ発光部を発光駆動するＬＥＤオン／オフのデューティ比可変のＬＥＤ発光駆動部と、
被写体の照度レベルを設定する照度レベル設定部と、
被写体の照度を検出する光センサと、
前記照度レベルと、前記光センサが検出する照度とを比較し、比較結果に応じて前記ＬＥＤ発光駆動部の発光駆動制御を行い、該ＬＥＤ発光部における各ＬＥＤのオン／オフのデューティ比を変更して発光光量を設定した被写体の照度レベルに適合させる制御部と、
を有することを特徴とするＬＥＤ自動調光照明装置。
【発明の詳細な説明】
【技術分野】
【０００１】
本発明は、ＬＥＤ自動調光照明装置に関し、詳しくは、被写体の撮影時における被写体照度の一定化を実現し、かつ、省エネルギー化を図った照明装置として有益なＬＥＤ自動調光照明装置に関するものである。
【背景技術】
【０００２】
例えば、カメラにより被写体の撮影を行う場合、良質な被写体画像を得るために被写体照明用の照明装置が多用されている。
【０００３】
このような照明装置は、サイリスタ制御の白熱灯や、ＬＥＤ等の半導体発光素子を発光源とするもの等が採用されているが、これらの場合、被写体に向けて発光する発光光量を適正に制御しないと、近距離撮影の場合、被写体の照度が明るすぎて周囲光とのバランスが崩れ、被写体画像の画質が低下するとともに不要なエネルギーを浪費してしまう。
【０００４】
また、遠距離撮影の場合には、被写体の照度が暗くてやはり被写体画像の画質が低下する等の不都合が生じる。
【０００５】
先行技術文献である特許文献１には、本発明に関連する技術として、可視光を発光するＬＥＤと、該ＬＥＤの発光する明るさを設定する明るさ設定回路と、該ＬＥＤを発光させる信号を発生する発光駆動回路と、前記ＬＥＤを発光モードと受光モードとに切り替える信号を発生する切り替え信号発生回路と、前記切り替え信号により、前記ＬＥＤを受光モードとしたときの受光信号と、前記明るさ設定回路からの設定信号との差信号を発生する差信号発生回路と、を有し、該差信号発生回路からの差信号により、前記発光駆動回路を制御するように構成したＬＥＤ自動調光装置が提案されている。
【０００６】
この特許文献１の場合、ＬＥＤを発光源及び受光源として使用するため、構成の簡略化を図れるものの、ＬＥＤを連続発光状態とした場合にはこのＬＥＤを受光源として機能させることができず、被写体の撮影時に使用する照明装置として不向きである。
【先行技術文献】
【特許文献】
【０００７】
【特許文献１】特開２００８−３００１５２号公報
【発明の概要】
【発明が解決しようとする課題】
【０００８】
本発明が解決しようとする問題点は、被写体の撮影時における被写体照度の一定化を実現し得るとともに、不要な発光を無くし省エネルギー化を図れるようなＬＥＤ自動調光照明装置が存在しない点である。
【課題を解決するための手段】
【０００９】
本発明は、被写体の撮影時における被写体照度の一定化を実現し、不要な発光を無くし省エネルギー化を図るために、被写体照明用の可視光を発光する複数のＬＥＤを用いたＬＥＤ発光部と、該ＬＥＤ発光部の発光調整機能を有するＬＥＤ発光駆動部と、被写体の照度レベルを設定する照度レベル設定部と、被写体の照度を検出する光センサと、前記照度レベルと、前記光センサが検出する照度とを比較し、比較結果に応じて前記ＬＥＤ発光部の発光光量が設定した被写体の照度レベルに適合するように前記ＬＥＤ発光駆動部の発光調整制御を行う制御部と、を有することを最も主要な特徴とする。
【発明の効果】
【００１０】
請求項１記載の発明によれば、照度レベル設定部により被写体の照度レベルを設定するだけの簡略さで、被写体の撮影時における被写体照度の一定化を実現し得るとともに、不要な発光を無くし省エネルギー化を図れるＬＥＤ自動調光照明装置を提供できる。
【００１１】
請求項２記載の発明によれば、照度レベル設定部により被写体の照度レベルを設定するだけの簡略さで、ＬＥＤ発光個数を自動的に増減させて発光光量を設定した被写体の照度レベルに適合させることができ、被写体照度の一定化を実現し得るとともに、ＬＥＤ発光部の不要な発光を無くすこともでき省エネルギー化を図ることができるＬＥＤ自動調光照明装置を提供できる。
【００１２】
請求項３記載の発明によれば、照度レベル設定部により被写体の照度レベルを設定するだけの簡略さで、各ＬＥＤの発光電流を自動的に増減させて発光光量を設定した被写体の照度レベルに適合させることができ、被写体照度の一定化を実現し得るとともに、ＬＥＤ発光部の不要な発光を無くすこともでき省エネルギー化を図ることができるＬＥＤ自動調光照明装置を提供できる。
【００１３】
請求項４記載の発明によれば、照度レベル設定部により被写体の照度レベルを設定するだけの簡略さで、各ＬＥＤのオン／オフのデューティ比を変更して発光光量を設定した被写体の照度レベルに適合させることができ、被写体照度の一定化を実現し得るとともに、ＬＥＤ発光部の不要な発光を無くすこともでき省エネルギー化を図ることができるＬＥＤ自動調光照明装置を提供できる。
【図面の簡単な説明】
【００１４】
【図１】本発明の実施例１のＬＥＤ自動調光照明装置を示す概略構成図である。
【図２】本実施例１のＬＥＤ自動調光照明装置における制御部のブロック図である。
【図３】本実施例１のＬＥＤ自動調光照明装置におけるＬＥＤ発光部と被写体とが近距離の場合の動作説明図である。
【図４】本実施例１のＬＥＤ自動調光照明装置におけるＬＥＤ発光部と被写体とが中距離の場合の動作説明図である。
【図５】本実施例１のＬＥＤ自動調光照明装置におけるＬＥＤ発光部と被写体とが遠距離の場合の動作説明図である。
【図６】本発明の実施例２のＬＥＤ自動調光照明装置を示す概略構成図である。
【図７】本実施例２のＬＥＤ自動調光照明装置における電流制御の説明図である。
【図８】本実施例２のＬＥＤ自動調光照明装置におけるＬＥＤ発光部と被写体とが近距離の場合の動作説明図である。
【図９】本実施例２のＬＥＤ自動調光照明装置におけるＬＥＤ発光部と被写体とが中距離の場合の動作説明図である。
【図１０】本実施例２のＬＥＤ自動調光照明装置におけるＬＥＤ発光部と被写体とが遠距離の場合の動作説明図である。
【図１１】本発明の実施例３のＬＥＤ自動調光照明装置を示す概略構成図である。
【図１２】本実施例３のＬＥＤ自動調光照明装置におけるデューテイ比制御の説明図である。
【図１３】本実施例１のＬＥＤ自動調光照明装置におけるＬＥＤ発光部と被写体とが近距離の場合の動作説明図である。
【図１４】本実施例１のＬＥＤ自動調光照明装置におけるＬＥＤ発光部と被写体とが中距離の場合の動作説明図である。
【図１５】本実施例１のＬＥＤ自動調光照明装置におけるＬＥＤ発光部と被写体とが遠距離の場合の動作説明図である。
【発明を実施するための形態】
【００１５】
本発明は、照度レベル設定部により被写体の照度レベルを設定するだけの簡略さで、ＬＥＤ発光部のＬＥＤ発光個数を増減させて発光光量を設定した被写体の照度レベルに適合させることで、被写体の撮影時における被写体照度の一定化を実現し、かつ、不要な発光を無くし省エネルギー化を図れるＬＥＤ自動調光照明装置を実現した。
【実施例１】
【００１６】
図１乃至図５を参照して本発明の実施例に係るＬＥＤ自動調光照明装置１１について説明する。
【００１７】
本実施例１に係るＬＥＤ自動調光照明装置１１は、図１、図３に示すように、被写体Ｍの照明用の可視光を発光する例えば６個のＬＥＤ（発光ダイオード）１乃至６を基板１９上に列設したＬＥＤ発光部１２と、前記ＬＥＤ発光部１２を発光駆動する例えば前記ＬＥＤ１乃至６に対応するトランジスタ回路からなる６個の電子スイッチを内蔵するとともに、６個のＬＥＤ１乃至６の各カソードが接続され、前記ＬＥＤ１乃至６の発光個数を可変としたＬＥＤ発光駆動部１３と、被写体Ｍの照度レベル（例えば、明、中、暗等）を設定する例えばキー入力式の照度レベル設定部１４と、被写体Ｍに向けて配置され、その照度を検出する例えばフォトトランジスタを用いた光センサ１５と、この光センサ１５の検出信号を増幅する増幅回路１６と、前記照度レベル設定部１４により設定する照度レベルの信号と、前記光センサ１５が検出する照度の信号とを比較し、比較結果に応じて前記ＬＥＤ発光駆動部１３の発光駆動制御を行い、前記ＬＥＤ発光部１２のＬＥＤ発光個数を増減させて発光光量を設定した被写体Ｍの照度レベルに適合させる制御部１７と、前記６個のＬＥＤ１乃至６の各アノードに陽極を接続し、陰極を接地した直流電源１８と、を有している。
【００１８】
前記直流電源１８は、図示していないが、前記ＬＥＤ発光駆動部１３、増幅回路１６、制御部１７の各動作に必要な電力供給を行うように構成している。
【００１９】
前記制御部１７は、図２に示すように、前記照度レベル設定部１４からの照度レベルの信号を記憶する記憶部２１と、前記照度レベルの信号と、前記光センサ１５が検出する照度の信号とを比較し、例えばその差に応じた１個、３個、６個等のようなパルス信号を出力する比較信号出力部２２と、比較信号出力部２２からのパルス信号に応じてＬＥＤ発光駆動部１３の６個の電子スイッチを個別にオン、オフさせる制御信号を出力する制御信号出力部２３と、を具備している。
【００２０】
前記比較信号出力部２２は、例えば、前記照度レベルの信号と、前記光センサ１５が検出する照度の信号との差が小の場合、１個のパルス信号を出力し、前記差が中の場合、３個のパルス信号を出力し、前記差が大の場合、６個のパルス信号を出力するように構成している。
【００２１】
前記制御信号出力部２３は、前記比較信号出力部２２からの各パルス信号に応じてＬＥＤ発光駆動部１３に制御信号を出力する。
【００２２】
すなわち、前記制御信号出力部２３は、比較信号出力部２２から１個のパルス信号に応じてＬＥＤ発光駆動部１３の前記ＬＥＤ１に接続した電子スイッチをオン制御し、３個のパルス信号に応じてＬＥＤ発光駆動部１３の前記ＬＥＤ１乃至３に接続した各電子スイッチをオン制御し、６個のパルス信号に応じてＬＥＤ発光駆動部１３の前記ＬＥＤ１乃至３に接続した各電子スイッチをオン制御する。
【００２３】
次に、本実施例１に係るＬＥＤ自動調光照明装置１１の作用、効果について、図３乃至図５をも参照して説明する。
【００２４】
本実施例１に係るＬＥＤ自動調光照明装置１１を、例えばカメラによる被写体Ｍの撮影時の照明装置として使用する場合に、撮影者が例えば照度レベル設定部１４により被写体Ｍの照度レベルを「中」に設定したものとする。この照度レベルの信号は前記記憶部２１に記憶される。
【００２５】
一方、前記光センサ１５により検出された被写体Ｍの当初の照度の信号は、増幅回路１６により増幅され、前記比較信号出力部２２に伝送される。
【００２６】
前記比較信号出力部２２は、前記照度レベルの信号と、前記光センサ１５からの照度の信号とを比較しその差が小の場合、１個のパルス信号を出力し、制御信号出力部２３は１個のパルス信号が入力されるとＬＥＤ発光駆動部１３の前記ＬＥＤ１に接続した電子スイッチをオン制御する。これにより、前記ＬＥＤ発光部１２のＬＥＤ１のみが発光し、被写体Ｍを照明する。以上の動作が連続的に繰り返される。
【００２７】
このようなＬＥＤ自動調光照明装置１１の動作は、例えば図３に示すように前記ＬＥＤ発光部１２及び前記光センサ１５と、被写体Ｍとの距離が近距離の場合において有効であり、被写体Ｍの撮影時における被写体照度の一定化を実現し得るとともに、ＬＥＤ発光部１２の他のＬＥＤ２乃至６の不要な点灯を無くすことができ省エネルギー化を図ることができる。
【００２８】
次に、上述した本実施例１に係るＬＥＤ自動調光照明装置１１の動作において、前記比較信号出力部２２が、前記照度レベルの信号と、前記光センサ１５からの照度の信号とを比較しその差が中と判定した場合、３個のパルス信号を出力し、制御信号出力部２３は３個のパルス信号が入力されるとＬＥＤ発光駆動部１３の前記ＬＥＤ１乃至３に接続した各電子スイッチをオン制御する。これにより、前記ＬＥＤ発光部１２のＬＥＤ１乃至３のみが発光し、被写体Ｍを照明する。以上の動作が連続的に繰り返される。
【００２９】
このようなＬＥＤ自動調光照明装置１１の動作は、例えば図４に示すように前記ＬＥＤ発光部１２及び前記光センサ１５と、被写体Ｍとの距離が中距離の場合において有効であり、被写体Ｍの撮影時における被写体照度の一定化を実現し得るとともに、ＬＥＤ発光部１２の他のＬＥＤ４乃至６の不要な点灯を無くすことができ省エネルギー化を図ることができる。
【００３０】
次に、上述した本実施例１に係るＬＥＤ自動調光照明装置１１の動作において、前記比較信号出力部２２が、前記照度レベルの信号と、前記光センサ１５からの照度の信号とを比較しその差が大と判定した場合、６個のパルス信号を出力し、制御信号出力部２３は６個のパルス信号が入力されるとＬＥＤ発光駆動部１３の前記ＬＥＤ１乃至６に接続した各電子スイッチをオン制御する。これにより、前記ＬＥＤ発光部１２のＬＥＤ１乃至６が発光し、被写体Ｍを最大光量で照明する。以上の動作が連続的に繰り返される。
【００３１】
このようなＬＥＤ自動調光照明装置１１の動作は、例えば図５に示すように前記ＬＥＤ発光部１２及び前記光センサ１５と、被写体Ｍとの距離が遠距離の場合において有効である。
【実施例２】
【００３２】
次に、図６乃至図１０を参照して本発明の実施例２に係るＬＥＤ自動調光照明装置１１Ａについて説明する。
【００３３】
本実施例２に係るＬＥＤ自動調光照明装置１１Ａは、基本的構成は図６に示すように実施例１のＬＥＤ自動調光照明装置１１の場合と同様であるため同一の要素には同一の符号を付して示す。
【００３４】
本実施例２のＬＥＤ自動調光照明装置１１Ａが既述した実施例１のＬＥＤ自動調光照明装置１１と異なる点は、図６に示すＬＥＤ発光駆動部１３Ａに、例えば各ＬＥＤ１乃至６に対応する６個の可変抵抗回路を組み込み、常時通電状態で各ＬＥＤ１乃至６に流れる発光電流を増減可能な構成としたこと、また、制御部１７Ａにより、前記照度レベル設定部１４により設定する被写体Ｍの照度レベル（例えば、明、中、暗）と、前記光センサ１５が検出する照度とを比較し、比較結果に応じて発光電流が流れるＬＥＤ発光駆動部１３Ａにおける６個の可変抵抗回路の抵抗値を大、中、小に変更する電流制御のための制御信号を出力し、各ＬＥＤ１乃至６の発光電流を小、中、大に変更し、これにより各ＬＥＤ１乃至６の総発光光量を設定した被写体Ｍの照度レベル（暗、中、明のいずれか）に適合させるようにしたことである。
【００３５】
この場合、前記制御部１７Ａとしては、図２に示すような前記制御部１７と近似した構成とし、比較信号出力部２２から、例えば前記照度レベル設定部１４により設定する被写体Ｍの照度レベル（例えば、明、中、暗）と、前記光センサ１５が検出する照度との差に応じてローレベル、中レベル、ハイレベルのパルス信号を出力する構成、前記制御信号出力部２３により前記ローレベルのパルス信号に応じて６個の可変抵抗回路の抵抗値を大にする制御信号を、前記中レベルのパルス信号に応じて６個の可変抵抗回路の抵抗値を中にする制御信号を、前記ハイレベルのパルス信号に応じて６個の可変抵抗回路の抵抗値を小にする制御信号を出力する構成例を挙げることができる。
【００３６】
次に、本実施例２に係るＬＥＤ自動調光照明装置１１Ａの作用、効果について、図７乃至図１０をも参照して説明する。
【００３７】
本実施例２に係るＬＥＤ自動調光照明装置１１Ａを、例えばカメラによる被写体Ｍの撮影時の照明装置として使用する場合に、撮影者が例えば照度レベル設定部１４により被写体Ｍの照度レベルを「中」に設定したものとする。
【００３８】
このとき、前記制御部１７Ａは、前記照度レベルの信号と、前記光センサ１５からの照度の信号とを比較しその差が小の場合、上述したことから明らかなように６個の可変抵抗回路の抵抗値を大にする制御信号をＬＥＤ発光駆動部１３Ｂに送る。
【００３９】
これにより、ＬＥＤ発光駆動部１３Ｂの６個の可変抵抗回路の抵抗値は大となり、各ＬＥＤ１乃至６の発光電流は図７上欄に示すように小となって、小発光量で被写体Ｍを照明する。以上の動作が連続的に繰り返される。
【００４０】
このようなＬＥＤ自動調光照明装置１１Ａの動作は、例えば図８に示すように前記ＬＥＤ発光部１２及び前記光センサ１５と、被写体Ｍとの距離が近距離の場合において有効であり、被写体Ｍの撮影時における被写体照度の一定化を実現し得るとともに、各ＬＥＤ１乃至６の消費電力は低減され省エネルギー化を図ることができる。
【００４１】
次に、上述した本実施例２に係るＬＥＤ自動調光照明装置１１Ａの動作において、前記制御部１７Ａが、前記照度レベルの信号と、前記光センサ１５からの照度の信号とを比較しその差が中と判定した場合、６個の可変抵抗回路の抵抗値を中にする制御信号をＬＥＤ発光駆動部１３Ｂに送る。
【００４２】
これにより、ＬＥＤ発光駆動部１３Ｂの６個の可変抵抗回路の抵抗値は中となり、各ＬＥＤ１乃至６の発光電流は図７中欄に示すように中となって、中発光量で被写体Ｍを照明する。以上の動作が連続的に繰り返される。
【００４３】
このようなＬＥＤ自動調光照明装置１１Ａの動作は、例えば図９に示すように前記ＬＥＤ発光部１２及び前記光センサ１５と、被写体Ｍとの距離が中距離の場合において有効であり、被写体Ｍの撮影時における被写体照度の一定化を実現し得るとともに、各ＬＥＤ１乃至６の消費電力もフル発光の場合よりも低減され省エネルギー化を図ることができる。
【００４４】
次に、上述した本実施例２に係るＬＥＤ自動調光照明装置１１Ａの動作において、前記制御部１７Ａが、前記照度レベルの信号と、前記光センサ１５からの照度の信号とを比較しその差が大と判定した場合、前記制御部１７Ａは、６個の可変抵抗回路の抵抗値を小にする制御信号をＬＥＤ発光駆動部１３Ｂに送る。
【００４５】
これにより、ＬＥＤ発光駆動部１３Ｂの６個の可変抵抗回路の抵抗値は小となり、各ＬＥＤ１乃至６の発光電流は図７下欄に示すように大（フル発光）となって、大発光量で被写体Ｍを照明する。以上の動作が連続的に繰り返される。
【００４６】
このようなＬＥＤ自動調光照明装置１１Ａの動作は、例えば図１０に示すように前記ＬＥＤ発光部１２及び前記光センサ１５と、被写体Ｍとの距離が遠距離の場合において有効であり、被写体Ｍの撮影時における被写体照度の一定化を実現し得る。
【実施例３】
【００４７】
次に、図１１乃至図１５を参照して本発明の実施例３に係るＬＥＤ自動調光照明装置１１Ｂについて説明する。
【００４８】
本実施例３に係るＬＥＤ自動調光照明装置１１Ｂは、図１１に示すように基本的構成は実施例１のＬＥＤ自動調光照明装置１１の場合と同様であるため同一の要素には同一の符号を付して示す。
【００４９】
本実施例３のＬＥＤ自動調光照明装置１１Ｂが既述した実施例１のＬＥＤ自動調光照明装置１１と異なる点は、ＬＥＤ発光駆動部１３Ｂに各ＬＥＤ１乃至６に対応する例えば６個の常時通電のＰＷＭ（パルス幅変調）回路を内蔵し、各ＬＥＤ１乃至６のオン／オフのデューティ比可変の構成としたこと、また、制御部１７Ｂにより、前記照度レベル設定部１４により設定する被写体Ｍの照度レベル（例えば、明、中、暗）と、前記光センサ１５が検出する照度とを比較し、比較結果に応じてＬＥＤ発光駆動部１３Ｂの６個のＰＷＭ回路のデューテイ比制御（例えば、デューテイ比：小、中、大（＝１）等）を行う制御信号を出力し、各ＬＥＤ１乃至６のオン／オフのデューティ比を変更して総発光光量を設定した被写体Ｍの照度レベルに適合させる構成としたことである。
【００５０】
この場合、前記制御部１７Ｂとしては、図２に示すような前記制御部１７と近似した構成とし、比較信号出力部２２から、例えば前記照度レベル設定部１４により設定する被写体Ｍの照度レベル（例えば、明、中、暗）と、前記光センサ１５が検出する照度との差に応じてローレベル、中レベル、ハイレベルのパルス信号を出力する構成、前記制御信号出力部２３により、前記ローレベルのパルス信号に応じて６個のＰＷＭ回路のデューテイ比を、図１２上欄に示すように小とし、前記中レベルのパルス信号に応じて６個のＰＷＭ回路のデューテイ比を図１２中欄に示す中とし、前記ハイレベルのパルス信号に応じて６個のＰＷＭ回路のデューテイ比を図１２下欄に示すようにフル（＝１）とする制御信号を出力する構成例を挙げることができる。
【００５１】
次に、本実施例３に係るＬＥＤ自動調光照明装置１１Ｂの作用、効果について、図１３乃至図１５をも参照して説明する。
【００５２】
本実施例３に係るＬＥＤ自動調光照明装置１１Ｂを、例えばカメラによる被写体Ｍの撮影時の照明装置として使用する場合に、撮影者が例えば照度レベル設定部１４により被写体Ｍの照度レベルを「中」に設定したものとする。
【００５３】
このとき、前記制御部１７Ｂは、前記照度レベルの信号と、前記光センサ１５からの照度の信号とを比較しその差が小の場合、上述したことから明らかなようにＬＥＤ発光駆動部１３Ｂの６個のＰＷＭ回路にデューテイ比小となる制御信号を送る。
【００５４】
これにより、ＬＥＤ発光駆動部１３Ｂの６個のＰＷＭ回路はデューテイ比小の状態で動作し、各ＬＥＤ１乃至６は小発光量で被写体Ｍを照明する。以上の動作が連続的に繰り返される。
【００５５】
このようなＬＥＤ自動調光照明装置１１Ｂの動作は、例えば図１３に示すように前記ＬＥＤ発光部１２及び前記光センサ１５と、被写体Ｍとの距離が近距離の場合において有効であり、被写体Ｍの撮影時における被写体照度の一定化を実現し得るとともに、各ＬＥＤ１乃至６の消費電力は低減され省エネルギー化を図ることができる。
【００５６】
次に、上述した本実施例３に係るＬＥＤ自動調光照明装置１１Ｂの動作において、前記制御部１７Ｂが、前記照度レベルの信号と、前記光センサ１５からの照度の信号とを比較しその差が中と判定した場合、上述したことから明らかなようにＬＥＤ発光駆動部１３Ｂの６個のＰＷＭ回路にデューテイ比中となる制御信号を送る。
【００５７】
これにより、ＬＥＤ発光駆動部１３Ｂの６個のＰＷＭ回路はデューテイ比中の状態で動作し、各ＬＥＤ１乃至６は中発光量で被写体Ｍを照明する。以上の動作が連続的に繰り返される。
【００５８】
このようなＬＥＤ自動調光照明装置１１Ｂの動作は、例えば図１４に示すように前記ＬＥＤ発光部１２及び前記光センサ１５と、被写体Ｍとの距離が近距離の場合において有効であり、被写体Ｍの撮影時における被写体照度の一定化を実現し得るとともに、この場合も各ＬＥＤ１乃至６の消費電力はフル発光の場合よりも低減され省エネルギー化を図ることができる。
【００５９】
次に、上述した本実施例３に係るＬＥＤ自動調光照明装置１１Ｂの動作において、前記制御部１７Ｂが、前記照度レベルの信号と、前記光センサ１５からの照度の信号とを比較しその差が大と判定した場合、上述したことから明らかなようにＬＥＤ発光駆動部１３Ｂの６個のＰＷＭ回路にデューテイ比フル（＝１）となる制御信号を送る。
【００６０】
これにより、ＬＥＤ発光駆動部１３Ｂの６個のＰＷＭ回路はデューテイ比フルの状態で動作し、各ＬＥＤ１乃至６は大発光量で被写体Ｍを照明する。以上の動作が連続的に繰り返される。
【００６１】
このようなＬＥＤ自動調光照明装置１１Ｂの動作は、例えば図１５に示すように前記ＬＥＤ発光部１２及び前記光センサ１５と、被写体Ｍとの距離が遠距離の場合において有効であり、被写体Ｍの撮影時における被写体照度の一定化を実現し得る。
【００６２】
尚、本実施例１乃至３のＬＥＤ自動調光照明装置１１、１１Ａ、１１Ｂの各構成は、例えば、図示しないカメラからの信号により、照度レベルの設定及びシャッタ操作による点灯を連動させる構成とすることもできる。
【産業上の利用可能性】
【００６３】
本発明は、例えばデジタルカメラ、ビデオカメラ、スチルカメラ等の各種の撮影機器用の照明装置として広範に適用できる。
【符号の説明】
【００６４】
１〜６  ＬＥＤ
１１    自動調光照明装置
１１Ａ  自動調光照明装置
１１Ａ  自動調光照明装置
１２    ＬＥＤ発光部
１３    ＬＥＤ発光駆動部
１３Ａ  ＬＥＤ発光駆動部
１３Ｂ  ＬＥＤ発光駆動部
１４    照度レベル設定部
１５    光センサ
１６    増幅回路
１７    制御部
１７Ａ  制御部
１７Ｂ  制御部
１８    直流電源
１９    基板
２１    記憶部
２２    比較信号出力部
２３    制御信号出力部
Ｍ    被写体
【図１】
2010218794.tif 000003
【図２】
2010218794.tif 000004
【図３】
2010218794.tif 000005
【図４】
2010218794.tif 000006
【図５】
2010218794.tif 000007
【図６】
2010218794.tif 000008
【図７】
2010218794.tif 000009
【図８】
2010218794.tif 000010
【図９】
2010218794.tif 000011
【図１０】
2010218794.tif 000012
【図１１】
2010218794.tif 000013
【図１２】
2010218794.tif 000014
【図１３】
2010218794.tif 000015
【図１４】
2010218794.tif 000016
【図１５】
2010218794.tif 000017